(57)【要約】      （修正有）【課題】意匠的に優れ、重量を軽くすることで腕への負担を低減させることができる腕時計を提供する。【解決手段】ケース１０およびバンド２０を備える腕時計１であって、ケース１０およびバンド２０が木製である。また、ケース１０は、ケース本体１１、文字盤１２、文字盤１２を保護する風防１４、風防１４を固定するためのベゼル１５を有し、ケース本体１１、文字盤１２およびベゼル１５が木製であることを特徴とする。【選択図】図１
0003180654.tif 000002
【実用新案登録請求の範囲】
【請求項１】
ケースおよびバンドを備える腕時計であって、
前記ケースおよび前記バンドが木製であることを特徴とする腕時計。
【請求項２】
前記ケースは、ケース本体、文字盤、前記文字盤を保護する風防、前記風防を固定するためのベゼルを有し、
前記ケース本体、前記文字盤および前記ベゼルが木製であることを特徴とする請求項１に記載の腕時計。
【請求項３】
前記バンドは、複数のコマがピンによって連結され、
前記複数のコマの全てが木製であることを特徴とする請求項１または２に記載の腕時計。
【請求項４】
前記木製の部品は、竹、楓および白檀の少なくとも何れかの木材で形成されていることを特徴とする請求項１ないし３の何れか１項に記載の腕時計。
【請求項５】
前記木製の部品は、部品に応じて異なる色の木材で形成されていることを特徴とする請求項１ないし３の何れか１項に記載の腕時計。
【考案の詳細な説明】
【技術分野】
【０００１】
本考案は、腕時計に関するものである。
【背景技術】
【０００２】
近年、腕時計は着用者が時刻を知ることに用いられる以外に、装飾品としても用いられている。腕時計はケースやバンドから構成され、一般的にケースは金属製やプラスチック製であり、バンドは金属製やプラスチック製や革製である。例えば、特許文献１には、バンドが軟質のプラスチック製で形成されている腕時計が開示されている。
【先行技術文献】
【特許文献】
【０００３】
【特許文献１】実用新案登録第３０１０４１７号公報
【考案の概要】
【考案が解決しようとする課題】
【０００４】
上述したような金属製、プラスチック製、革製の腕時計は意匠的にありふれたものであり、装飾品としての魅力が低下している。また、ケースが金属製の腕時計が多いため、腕時計全体の重量が重くなってしまい、着用者が腕に疲労感を感じてしまうという問題がある。
上記実情に鑑み、本考案が解決しようとする課題は、意匠的に優れ、重量を軽くすることで腕への負担を低減させることができる腕時計を提供することである。
【課題を解決するための手段】
【０００５】
前記課題を解決するため、本考案は、ケースおよびバンドを備える腕時計であって、前記ケースおよび前記バンドが木製であることを特徴とする。
また、前記ケースは、ケース本体、文字盤、前記文字盤を保護する風防、前記風防を固定するためのベゼルを有し、前記ケース本体、前記文字盤および前記ベゼルが木製であることを特徴とする。
また、前記バンドは、複数のコマがピンによって連結され、前記複数のコマの全てが木製であることを特徴とする。
また、前記ケースおよび前記バンドを連結するラグを有し、前記ラグが木製であることを特徴とする。
また、前記ケースは、時刻を調整するリューズを有し、前記リューズが木製であることを特徴とする。
また、前記木製の部品は、竹、楓および白檀の少なくとも何れかの木材で形成されていることを特徴とする。
また、前記木製の部品は、部品に応じて異なる色の木材で形成されていることを特徴とする。
【考案の効果】
【０００６】
本考案によれば、意匠的に優れていると共に、重量を軽くすることで腕への負担を低減させることができる。
【図面の簡単な説明】
【０００７】
【図１】図１は、本考案の腕時計の構成を模式的に示す正面図である。
【図２】図２は、本考案の腕時計の構成を模式的に示す背面図である。
【図３】図３は、本考案の腕時計の構成を模式的に示す右側面図である。
【考案を実施するための形態】
【０００８】
以下に、本考案の実施形態について、図面を参照して詳細に説明する。図１は、本考案の腕時計１の構成を模式的に示す正面図である。図２は、本考案の腕時計１の構成を模式的に示す背面図である。図３は、本考案の腕時計１の構成を模式的に示す右側面図である。なお、説明の便宜上、文字盤が形成される側を表側と称し、その反対側を裏側と称する。
【０００９】
図１および図２に示すように、本考案の腕時計１は、ケース１０と、バンド２０と、ケース１０およびバンド２０を連結するラグ３０とを有している。
ケース１０は、ケース本体１１と、文字盤１２と、針１３と、風防１４と、ベゼル１５と、裏蓋１６と、リューズ１７と、図示しないムーブメントとを有している。文字盤１２には、インデックスが取り付けられている。風防１４は、透明な部材であって、文字盤１２を保護する。ベゼル１５は、風防１４をケース本体１１に固定するためのものである。裏蓋１６は、ケース１０を裏側から保護するためのものであり、取り外すことで図示しないムーブメントなどにアクセスすることができる。リューズ１７は、針１３を可動させて時刻を調整するためのものである。
【００１０】
バンド２０は、複数のコマ２１と、バックル２２とを有している。本実施形態のバンド２０は、コマ２１を幅方向に３つ並べて構成されている。図３に示すように、各コマ２１は、表側が凸状の湾曲状に形成され、裏側が凹状の湾曲状に形成されている。ここで、コマ２１のうち、幅方向における中央のコマをコマ２１ａとし、外側のコマをコマ２１ｂとする。外側のコマ２１ｂは、コマ２１ａに対して幅方向と直交する方向（バンド２０の長手方向）にズレて配置されている。コマ２１ａの幅寸法は、コマ２１ｂの幅寸法の略２倍の寸法を有している。また、隣接するコマ２１ａとコマ２１ｂとの間は、金属製のピン２３（図１に示す破線を参照）によって互いに回転可能に連結されている。バックル２２は、金属製であって、バンド２０同士を連結させて腕時計１を腕に取り付けるためのものである。
【００１１】
ここで、本実施形態の腕時計１は、ケース１０およびバンド２０が木製で構成されている。具体的には、ケース１０のうちケース本体１１と、文字盤１２と、ベゼル１５とが木製であり、バンド２０のうちコマ２１が木製である。また、本実施形態の腕時計１は、ラグ３０が木製である。更に、本実施形態の腕時計１は、リューズ１７が木製である。
すなわち、本実施形態の腕時計１の外観は、ほとんどが木製である。ここで、木製の各部品は、外観上において木目に形成され、着用者は一見して木製であることを視認することができる。このように、本実施形態の腕時計１は、ケース１０およびバンド２０が木製に形成されているために、意匠的に優れ、装飾品としての機能を十分に発揮することができる。
【００１２】
また、本実施形態の木製の各部品は、単に木目を表面に施しているものではなく、木材を削り出すことにより形成されている。このように、木製の各部品を削り出して形成することにより、製造される腕時計１は、全てが異なる木目に形成される。したがって、着用者は有一無二の腕時計１を着用することができ、装飾品としての価値を向上させることができる。更に、腕時計１において、複数のコマ２１ａおよび複数のコマ２１ｂは、それぞれ同一形状ではあるものの、全てが異なる木目である。したがって、着用者は人工的ではなく自然の木材により形成されていることを視認でき、装飾品としての価値を更に向上させることができる。
【００１３】
また、このように木製の各部品を用いることで、腕時計１全体の重量を軽量化させることができる。特に、本実施形態では、腕時計１の重量の多くを占める、ケース１０のケース本体１１およびバンド２０のコマ２１を木製にしたことにより、腕時計１の重量を格段に軽量化することができる。したがって、着用者は腕時計１を着用した腕が疲れることなく、腕への負担を低減させることができる。
【００１４】
なお、木材としては、竹、楓（メープルウッド）および白檀の少なくとも何れかを用いることができる。上述したような木材は、削り出すことにより意匠的に優れた木目を形成することができる。なお、用いる木材は１種類に限られず、２種類以上であってもよい。例えば、部品ごとに木材の種類が異なるようにしてもよい。このように、部品ごとに木材の種類を変更することで、異なる種類の木目にでき、腕時計１に変化をもたらせることができる。したがって、着用者の多様な趣向に応じた腕時計１を提供することができる。また、形状が複雑な部品には削り易い木材を用いることで腕時計１のコストを削減することができる。また、強度が必要な部品には高強度の木材を用いることで腕時計１の強度を向上させることができる。
【００１５】
また、用いる木材の色は１色に限られず、２色以上であってもよい。例えば、ケース本体１１、裏蓋１６、リューズ１７、外側のコマ２１ｂ、ラグ３０に第１の色を用い、文字盤１２、ベゼル１５、中央のコマ２１ａに第２の色を用いるなどして、部品ごとに木材の色が異なるようにしてもよい。このように、部品ごとに木材の色を変更することで、腕時計１に変化をもたらせることができる。したがって、着用者の多様な趣向に応じた腕時計１を提供することができる。
【００１６】
以上、本考案の実施形態について、図面を参照して詳細に説明したが、本考案は前記実施形態に限定されるものではない。本考案は、その趣旨を逸脱しない範囲において、種々の改変が可能である。
上述した実施形態では、３つのコマ２１は幅方向に並んでいる３連のバンド２０について説明したが、この場合に限られず、どのような形状のバンドであってもよい。
また、上述した実施形態では、針１３やインデックスの材質について言及していないが、木製であってもよく、他の材質であってもよい。
【産業上の利用可能性】
【００１７】
本考案は、腕時計において有効な技術である。
【符号の説明】
【００１８】
１：腕時計  １０：ケース  １１：ケース本体  １２：文字盤  １３：針  １４：風防  １５：ベゼル  １６：裏蓋  １７：リューズ  ２０：バンド  ２１（２１ａ、２１ｂ）：コマ  ２２：バックル  ２３：ピン
【図１】
0003180654.tif 000003
【図２】
0003180654.tif 000004
【図３】
0003180654.tif 000005